(57)【要約】      （修正有）【課題】ＢＰ値である電流のピーク値をアナログ回路で測定すると精度が低くなるため、従来は波形変化を一定周期で一定時間Ａ／Ｄ変換して得られたサンプリンダデータからピーク値を推定していた。このため、部品点数が少なく処理も単純で装置コストが低い装置を提供する。【解決手段】測定回路は簡単なアナログ回路で構成し、実測前に、基準ＣＲ回路を測定して測定値の基準値を記憶しておく。人体実測時には、測定値を基準値で換算する一方、人体通電時のコンデンサー成分が低いとＢＰ値が低下するので、ＩＱ値によりＢＰ値を補正する。【選択図】図１
2014091007.tif 000002
【特許請求の範囲】
【請求項１】
すくなくとも単独抵抗回路１つと抵抗・コンデンサーのＣＲ直列回路２つとを備えた基準ＣＲ回路と、
一定電圧一定パルス幅の直流パルス電圧を発生するパルス発生回路と、
上記基準ＣＲ回路または人体皮膚上の２点の内の一方を選択して上記パルス発生回路により通電する切換通電回路と、
その切換通電回路による通電電流のピーク値を読みとるＢＰ値読取回路と、
上記通電電流の安定値を読みとる実測前ＡＰ値読取回路と、
上記電電流の積分値を読みとる実測前ＩＱ値読取回路と、
上記基準ＣＲ回路に通電して電流ピーク値と安定値と積分値とを読み取って記憶する実測前測定手段と、
人体皮膚上の２点に通電して電流ピーク値と安定値と積分値とを読み取る実測時測定手段と、
上記実測時測定手段で読み取った安定値を実測前測定手段で記憶している安定値と上記基準ＣＲ回路の抵抗値と基づいてＡＰ値に換算するＡＰ値換算手段と、
上記実測時測定手段で読み取った積分値を実測前測定手段で記憶している安定値と積分値と上記基準ＣＲ回路の抵抗値とに基づいて抵抗成分を除きコンデンサー容量成分のみ算出する容量算出手段と、
そのコンデンサー容量成分をＩＱ値とするＩＱ算出手段と、
上記実測時測定手段により読み取った電流ピーク値を、上記基準ＣＲ回路のコンデンサー容量値と抵抗値と上記実測前測定手段で記憶している複数の電流ピーク値データとに基づいて、電子回路の検知特性によるレベル低下分だけ補正してＢＰ値とするＢＰ値補正算出手段と、
その補正されたＢＰ値と上記ＡＰ値換算手段のＡＰ値と上記ＩＱ算出手段のＩＱ値とに基づいて規定の処理をする処理手段とを備えた経絡測定装置。
【発明の詳細な説明】
【技術分野】
【０００１】
本発明は、東洋医学でいう経絡の状態を電気的に測定する経絡測定装置に関するものである。
【背景技術】
【０００２】
人体皮膚上の特定部位と経穴間に通電し、流れる電流の大きさや特徴から、経絡の虚実や身体の健康に関する診断を行う各種測定装置が知られている。
【０００３】
それらの装置の中でも、当初本山式経絡臓器機能測定装置という名称で発表された装置が経絡の虚実を正確に判定できるものとして評価が高いようである。
【０００４】
人体皮膚上の２点は、電気的に抵抗とコンデンサーとが直並列された等価回路とみなすことができる。
【０００５】
上記測定装置では、皮膚上の２点間に、３Ｖの単発直流パルス電圧を印加する。このとき、等価回路におけるコンデンサー容量成分のため、通電電流はパルスの立ち上がりの瞬間にピークとなって、その後漸減し一定値で落ち着くようになる。
【０００６】
上記測定装置では、このときの電流変化の3つの特徴を読み取って各種判定を行う。
【０００７】
読み取る電流の特徴の1つ目は、上記瞬間的な電流ピーク値であり「ＢＰ」、２つ目は電流が漸減して一定値に落ち着いたところの電流値で「ＡＰ」、３つ目は漸減する電流値を積分した値で「ＩＱ」とそれぞれ呼ばれている。
【０００８】
ところで、上記電流変化は、数μsから数十μsという微小時間内に起こる現象であり、上記電流のピークは10μs以下とさらに短い。このため、ピーク値を従来のアナログ回路で直接測定しようとしても、誤差が大きく実用にならなかった。
【０００９】
そこで、上記測定装置では、例えば1μsという一定周期で電流値をサンプリングしてＡ／Ｄ変換して、多数のサンプリングデータをメモリに一時保存し、それらのデータの例えば先頭から３番目と５番目というような２つの時点の電流低下の傾斜角度から、ピーク値を推測するようにしている。また、上記３つ目の電流値の積分も読み取ったデジタル値をマイコン等プログラムで積分計算している。
【先行技術文献】
【特許文献】
【００１０】
【特許文献１】特許第４２３８１４０号公報
【特許文献２】特公平２−３３３８１号公報
【特許文献３】特開平８−１６８４６９号公報
【非特許文献】
【００１１】
【非特許文献１】「経絡−臓器機能測定について」宗教心理学研究所  昭和４９年７月２３日発行
【非特許文献２】「気の科学」同研究所  ２００９年２月８日発行
【発明の概要】
【発明が解決しようとする課題】
【００１２】
従来装置では、前記のように、電流値のサンプリングやＡ／Ｄ変換そしてデータのメモリ保存等の処理に、デジタル信号処理のための多数の高価な部品が必要になっていた。このため、製作コストがかかりシステムが高価になるという問題があった。
【００１３】
本発明は、少量の部品で安価に製作できる経絡測定装置を提供することを目的とする。
【課題を解決するための手段】
【００１４】
この目的を達成するため、本発明は、人体の実測前に、基準となるＣＲ回路を測定して測定回路の検知レベルを記憶しておき、実測時には、その実測測定値を、記憶データに基づいて換算補正するようにしたものである。
【００１５】
すなわち、一定電圧一定パルス幅の直流パルス電圧を発生するパルス発生回路と、通電電流のピーク値を読みとるＢＰ値読取回路と、通電電流の安定値を読みとるＡＰ値読取回路と、通電電流の積分値を読みとるＩＱ値読取回路とは、基本的に備える一方、すくなくとも単独抵抗回路１つと抵抗・コンデンサーのＣＲ直列回路２つとを有する基準ＣＲ回路と、その基準ＣＲ回路または人体皮膚上の２点の内の一方を選択通電する回路を設け、実測前に、基準ＣＲ回路への通電時の電流ピーク値と安定値と積分値とを読み取って記憶しておく。
【００１６】
そして、実測時には、人体皮膚上の２点に通電して通電電流のピーク値と安定値と積分値とを読み取るが、その後、読み取った積分値を、先に記憶している安定値と積分値と基準ＣＲ回路の抵抗値とに基づいて、抵抗成分を除きコンデンサー容量成分のみ算出して、その容量成分の積分値をＩＱ値とする一方、読み取った電流ピーク値を、基準ＣＲ回路のコンデンサー容量値と抵抗値と先に記憶している複数の電流ピーク値データとに基づいて、電子回路の検知特性によるレベル低下分だけ補正してＢＰ値とする。
【００１７】
以上のように得られたＢＰ値とＡＰ値とＩＱ値とに基づいて従来技術により表示出力等規定の処理を実行するようにしている。
【発明の効果】
【００１８】
実測前に、基準ＣＲ回路を測定して基準値を記憶し、実測時には、測定値をその基準値で換算するので、測定回路が温度等の環境条件で変動しても、一定の測定精度が得られる。また、電流のピーク値の検知レベルは、導体となる人体のコンデンサー成分に左右されるが、ＩＱ値で補正することにより、ＢＰ値もさらに正確になる。
【００１９】
これにより、ＢＰ測定回路、ＡＰ測定回路、ＩＱ測定回路などは、従来のようにデジタル処理により精度を上げる必要がなくなり、安価な小数のアナログ回路部品で構成することができ、装置が低コストになる。
【図面の簡単な説明】
【００２０】
【図１】本発明の一実施例である経絡測定装置のプロック構成図。
【図２】波形測定回路の回路図。
【図３】ＢＰ測定部の検知特性測定実験時のプロック構成図。
【図４】ＢＰ測定部の動作フローチャート。
【図５】ＢＰ測定部の電圧検出値の変化を示すグラフ図。
【図６】ＢＰ測定部の検出電圧の変化率を示すグラフ図。
【図７】経絡測定装置の動作フローチャート。
【図８】波形測定回路の信号タイムチャート。
【図９】基準CR測定回路測定時に記憶するデータの一覧図。
【図１０】換算処理の動作フローチャート。
【図１１】ＩＱ測定部における積分値の内容説明図。
【図１２】ＢＰ値の補正計算方法を示す説明図。
【発明を実施するための形態】
【００２１】
以下、本発明の実施例を説明する。
【実施例】
【００２２】
図1は、本実施例の経絡測定装置のブロック構成図である。
【００２３】
この経絡測定装置は、測定部1とデータ処理部2とにより構成されている。
【００２４】
測定部1は、人体2に当てる不関電極11と関電極12とが2本のコードで取り付けられ、データ処理部3とは信号線13で接続されている。データ処理部3は、モニタ画面やプリンタを備えた通常のパソコンである。
【００２５】
測定部1は、基準ＣＲ回路14と、切換回路15と、波形測定回路16と、制御回路17とにより構成されている。
【００２６】
基準ＣＲ回路14は、抵抗Rap1,Rbp1とコンデンサーCiq1,Ciq2より構成され、それぞれの一端は切換回路15に接続されている。切換回路15は、5つラインうちの1つを選択して波形測定回路16の入力に接続するもので、例えば、CMOS-ICのアナログスイッチ等である。波形測定回路16は、入力される電流波形から、ＢＰ値・ＡＰ値・ＩＱ値に対応する3つの信号値を測定するものである。制御回路17は、Ａ／Ｄ変換機能を有する既知マイコンであり、波形測定回路16の検出値をデジタル信号に変換して、データ処理部3に出力するものである。この制御回路17には、起動スイッチ18と測定スイッチ19とが付いている。
【００２７】
図2は、波形測定回路16の回路図である。
【００２８】
波形測定回路16は、ＢＰ測定部161とＡＰ測定部162とＩＱ測定部163とにより構成されている。ＢＰ測定部161は、入力電流を電圧として取り出し、その電圧のピーク値を検出する回路である。この検出値は、データ処理部2で最終的にグラフ等で表示されるＢＰ値の基になる測定値である。ＡＰ測定部162は、ＡＰ値の基になる電圧値を検出するものであり、ＩＱ測定部163はＩＱ値の元になる電圧値を検出するものである。
【００２９】
ＢＰ測定部161内では、オペアンプQ1とトランジスタQ2と抵抗R1〜R4とで非反転増幅回路、抵抗R5とトランジスタQ3とコンデンサーC1とＦＥＴQ5とで電圧ホールド回路、オペアンプQ4でボルテージフォロワ回路をそれぞれ構成している。そして、それら３種の回路によりＢＰ測定部161は、入力電圧Vinのピーク値を保持するピークホールド回路を構成している。なお、抵抗R1は、測定的に人体と直列接続されて３Ｖパルスが印加される抵抗であり、従来装置に準拠し100Ωに設定している。
【００３０】
ＡＰ測定部162内では、オペアンプQ6と抵抗R6,R7とで1つの反転増幅回路、オペアンプQ7と抵抗R8,R9と可変抵抗器R10とでもう1つの反転増幅回路をそれぞれ構成している。可変抵抗器R10は、この反転増幅回路のオフセットを調整するものである。これらの反転増幅回路は、既知回路である。
【００３１】
ＩＱ測定部163内では、オペアンプQ8と抵抗R11,R12とコンデンサーC2とで、既知の積分回路が構成されている。ＦＥＴQ9は、その積分回路への信号入力をオンオフするものである。ＦＥＴQ10は、積分動作完了後コンデンサーC2の電荷を放電するものである。
【００３２】
波形測定回路16内のそれぞれのオペアンプQ8には、図示してないがプラス電源+Vとマイナス電源-Vが印加されている。
【００３３】
ここで、ＢＰ測定部161のピーク電圧検出動作とその特性について説明する。
【００３４】
図３は、本願出願人がピーク電圧検出特性を調べたときの測定実験回路である。
【００３５】
この実験では、パルス発生器4から出力したパルス電圧を等価回路5を介してＢＰ測定部161に印加して、ＢＰ測定部161の検知電圧Ｖbpを測定した。
【００３６】
等価回路5は、人体皮膚上の２点に電極を当てた状態を想定した実験回路であり、抵抗Rbp,RapとコンデンサーCiqとで構成している。抵抗RbpとコンデンサーCiqとに矢印を付けて「可変」表記しているのは、各種抵抗値、各種容量値の部品を取り換えながら何度も測定したからである。
【００３７】
測定1回ごとの操作と回路動作は、次の通りである。
【００３８】
まず、図４（a）に示すように、信号源6によりＦＥＴQ5のゲート電圧を0Vからマイナス電位に落として、ＦＥＴQ5を例えば80μsというような一定時間T1だけオフさせる。これにより、コンデンサーC1は充電可能になる。
【００３９】
次に、パルス発生器4から、図４(b)に示すように、３Ｖでパルス幅２ｍｓ程度のパルス電圧を1回出力して、等価回路5を介してＢＰ測定部161に通電する。これにより、ＢＰ測定部161内の抵抗R1(100Ω)の両端には、同図(c)に示すような脈波状の入力電圧Vinが発生する。
【００４０】
オペアンプQ1が構成する増幅回路は、この電圧Vinを増幅する。このとき、トランジスタQ2のベースに流れる電流に比例した電流がトランジスタQ3にも流れ、コンデンサーC1が充電される。充電された電圧は、オフペアンプQ4に検知され、同図(c)に示すのように検知電圧Vbpとして出力される。
【００４１】
制御回路17は、その検知電圧VbpをＡ／Ｄ変換してデータ処理部2に送出する。
【００４２】
ところで、等価回路5の抵抗Rbpは1kΩ〜3kΩ程度であるのに対して、抵抗Rapは数10kΩ程度と非常に大きい。そこで、分かりやすくするため、抵抗値の大きい抵抗Rapを無視すると、パルス電圧印加時の瞬間にはコンデンサCiqには、電流I=3V/(Rbp+R1)Ωに相当する電流が流れる。つまり、コンデンサCiqを短絡した状態である。この電流に比例した電圧が入力電圧Vinとなる。オペアンプQ1が構成する増幅回路は、一定の増幅度を持つので、その電圧Vinが増幅され、電圧Vinに比例した検知電圧Vbpが得られことが理想であるが、そうはならない。
【００４３】
上記増幅回路は、変化の緩慢な低周波信号に対しては、一定の増幅度を持つが、図４(c)に示す電圧Vinのピーク部pは、高周波成分を含むため増幅度が低下する。増幅度が低下すると、入力電圧Vinに対する検知電圧Vbpの比率も低下することになる。
【００４４】
この電圧低下の傾向を調べるため、抵抗値が大小の2個の抵抗Rbpと、各種容量の数個のコンデンサCを用意して、検知電圧Vbpの測定実験を行った。
【００４５】
図５は、その実験結果である。検知電圧Vbpは、抵抗Rbpが大きいと電圧が低く、抵抗Rbpが小さいと電圧が高いことは当然であるが、一つの抵抗Rbp上を見ると、コンデンサーCiqの容量に応じて検知電圧Vbpが大きくなる。
【００４６】
図６は、図５と同じ実験データをアレンジ表記したグラフである。
【００４７】
この図では、抵抗Rbpが大小2種類あるが、どちらも電流I=3V/(抵抗Rbp+R1)Ωに相当する電圧値、つまりコンデンサーCを短絡したときに相当する電圧値を100%としている。そして、グラフの横軸は、コンデンサーCの容量の逆数1/Cにしている。
【００４８】
すると、検知電圧Vbpは、コンデンサーCの容量が一定値以下のときは、Cの容量に反比例して低下することが分かる。
【００４９】
ところで、出願人は、実際の人体の測定実験で、コンデンサーCの容量は通常1000pF以上であり、抵抗Rbpは1〜3kΩ程度と推定している。例えば、コンデンサーCが1000pFで、抵抗Rbpが1kΩの場合と3kΩの場合との低下率差は、たかだか２％程度であった。その後の実測事例では、コンデンサーCは1000pF以上なので、低下率差はさらに小さいことになる。
【００５０】
次に、経絡測定装置全体の動作を説明する。
【００５１】
図７は、本装置の動作フローチャートである。
【００５２】
オペレータは、まず起動スイッチ17を押下して本装置を起動する(処理71)。
【００５３】
本装置は起動すると、最初に基準ＣＲ回路14の測定処理を次のように実行する。
【００５４】
切換回路15は、まず抵抗Rbp1を選択する。抵抗Rbp1は、等価回路5の抵抗Rbpに相当するもので、BP測定の基準になるものである。
【００５５】
実際の人体の場合、個人差・気候・経絡の別など様々な条件で異なるので、本実施例では、その抵抗値は各種条件における統計的平均値に設定しているものとする。
【００５６】
そして、制御回路17は、図８(a)に示すように、３Ｖでパルス幅２ｍｓのパルス電圧を出力する。これにより、抵抗Rbp1を通して波形測定回路16に電流が流れ込む。
【００５７】
ＢＰ測定部161は、前記ピークホールド動作を実行して、検知電圧Vbpを出力する。その検知電圧Vbpは制御回路17内でＡ／Ｄ変換され、データ処理部2に送出される。
【００５８】
いま、基準ＣＲ回路14内ではコンデンサーを通過しておらず平坦なパルス電流が流れる。検知電圧Vbpはそのパルス電流に比例した平坦な電圧値が出力される。
【００５９】
データ処理部2は、いま実行中の基準ＣＲ回路14の測定処理で、受信する各種データを一時記憶する。
【００６０】
図９は、その記憶データの一覧を示したもので、抵抗Rbp1の測定では、同図(a),(b)に示すように、計算上の電流値Ibp0と、電圧VbpがＡ／Ｄ変換された測定値Dbp0とを記憶する。電流値Ibp0は、Ibp0=(3/Rbp+R1)という計算上の電流値であり、抵抗値Rbp1,R1は固定値なので、電流値Ibp0も固定値である。測定値Dbp0は、環境温度等で測定の都度変化することになる。
【００６１】
次に、切換回路15は、コンデンサーCiq1を選択して、制御回路17からパルス電圧を出力する。コンデンサーCiq1,Ciq2は、図３のコンデンサーCiqに相当するもので、大小2種類の一定値にそれぞれ設定されている。これにより、ＢＰ測定部161から抵抗Rbp1+コンデンサーCiq1の直列回路に対する検知電圧Vbpが出力される。
【００６２】
この場合、回路にコンデンサーCiq1が入っているので、ＢＰ測定部161には、図８(b)に示したような脈波電圧Viが入力されて増幅され、ＢＰ測定部161から、図８(c)に示すように、波形のピーク値に相当する検知電圧Vbpが出力される。
【００６３】
また、このとき、ＢＰ測定部161内のトランジスタQ2のエミッタには、図９(d)に示すような入力Vinに比例した増幅電圧Vmが生じている。
【００６４】
いま、この電圧Vmは、ＡＰ測定部162内のオペアンプQ6で一旦極性反転されて増幅され、IQ読取部163に入力される。
【００６５】
このとき、同図(e)に示すように、ＦＥＴQ8は一定時間T2だけオンに制御され、同図(f)に示すように、ＦＥＴQ10はオンからオフに制御される。
【００６６】
IQ読取部163内は既知のアナログ積分回路を構成しており、このときの入力電圧は積分されて、図８(g)に示すように、検知電圧Viqは漸増した後、一定時間T2経過後一定値になる。この検知電圧Viqは、Ａ／Ｄ変換されてデータ処理部3に送出される。
【００６７】
データ処理部3では、このとき、図９(c)(d)に示すように、電圧Vbpと電圧ViqとがそれぞれＡ／Ｄ変換された測定値Dbp1,Diq1とを記憶する。また、同表(e)に示すように、コンデンサーCiq1の容量値も記憶している。
【００６８】
次に、切換回路15は、コンデンサーCiq2を選択し、各部が上記と同様に動作する。そして、データ処理部3では、同表(f)〜(h)に示すように測定値Dbp2とDiq2を記憶するとともに、コンデンサーCiq2の容量値も記憶している。
【００６９】
次に、切換回路15は、抵抗Rap1を選択する、このときＡＰ測定部162は、ＢＰ測定部161内の検知電圧Vmを増幅し、検知電圧Vapとして出力する。この電圧VapはＡ／Ｄ変化されてデータ処理部2に送出される。
【００７０】
データ処理部2では、図９(i)に示すように計算上の電流値Iap0を記憶している。また、このとき、電圧Vapと電圧ViqのＡ／Ｄ変換値である測定値Dap0,Diq0を記憶する(以上、図７・処理72)。
【００７１】
上記処理72は、マイコンプログラムで自動実行されるもので、1秒以下の処理である。
【００７２】
オペレータは、次に、被験者である人体の所定の部位に不関電極11を装着し、まず測定すべき1つ目の井穴に関電極12を当て、測定スイッチ19を押下する(処理73)。
【００７３】
測定部1内では、ここで切換回路15が関電極12のラインを選択する。そして、各部が前記一連の測定処理を実行する。なお、以上の動作説明の中では、測定回路16のＡＰ測定部162が、図８(d)に示すような脈波状の電圧Vmを増幅する場合について説明してないが、制御部17は、電圧Vmが漸減して安定する1msというような一定時間後に、制御回路17が読み取っている。
【００７４】
この一連の動作により、３種の検知電圧Vbp,Vap,ViqがＡ／Ｄ変換されて、それぞれ測定値Dbp,Dap,Diqとしてデータ処理部2に送出される(処理74)。
【００７５】
次に、データ処理部2は、受信した測定値Dbp,Dap,Diqを目的のＢＰ値,ＡＰ値,ＩＱ値にそれぞれ換算する(処理75)。
【００７６】
図１０は、この換算処理を示したものである。
【００７７】
データ処理部2は、まず、ＡＰ値を、今回の測定値をDapとすると、図９(i)(j)で説明した記憶電流値Iap0と測定値Dap0とから、ＡＰ値=Dap×(Iap0/Dap0)として算出する。
【００７８】
測定値Dbp,Dap,Diqは、対応するそれぞれのアナログ電圧が、制御回路17のマイコン内蔵のＡ／Ｄ変換回路により実行される。例えば、０〜＋５Ｖのアナログ電圧が１０ビットの２進数値に変換される。１０ビットであれば、１０進数で０〜１０２３の範囲に変換される。
【００７９】
いま例えば、図９で説明した基準ＣＲ回路14の測定時に、上記計算上の電流値Iap0が、Iap0=10μAで、測定値Dap0がDap0=100だったとする。そして、今回の人体の実測時に、測定値DapがDap=200であったとすると、上式により、ＡＰ値Xは基準ＣＲ回路14の測定時の2倍になることが分かる(処理１０１)。
【００８０】
次に、データ処理部2は、人体3のコンデンサーCiqに相当する容量成分を算出するための一連の動作を実行する。
【００８１】
ＩＱ測定部163の検知電圧Viqの電圧値は、BP測定回路161内の電圧Vmの変動をT2時間積分した積分値である。これは、図１１に示すように、等価回路5のコンデンサーCiqによるものと、抵抗Rapによるものとに分けられる。
【００８２】
データ処理部2は、ここで、電圧Vmの積分値ＶiqのＡ／Ｄ値である測定値Diqの内の抵抗Rap成分を算出する。
【００８３】
いま、求める測定値Diqの抵抗Rap成分をIQrとすると、図９(i)(k)の記憶電流値Iap0と測定値Diq0とから、IQr=Dap×(Diq0/Dap0)として算出する(処理１０２)。
【００８４】
次に、測定値DiqのコンデンサーCiq成分IQcを、IQc=Diq-IQrとして算出する(処理１０３)。
【００８５】
そして、コンデンサーCiqの容量Ｃxを、Ｃx=IQc×Ｃiq1/Ｄiq1として算出する(処理１０４)。
【００８６】
本実施例では、データ処理部2は、コンデンサーCiq成分IQc値を目的のＩＱ値とする。従ってＩＱ値は、例えばpFのようなコンデンサーと同じ単位になる。(処理１０５)。
【００８７】
次に、データ処理部2は、ＢＰ測定部161の検出電圧Vbpの低下率を次のように算出する。
【００８８】
図１２は、図６の表記方法で今回実測時の検出電圧Vbpの低下率を表記したグラフである。
【００８９】
この図は、図９の(a)(b)に示した抵抗Rbp1の計算電流値Ibp0と測定値Dbp0を100％とし、図９の(c)(d)(f)(g)に示した測定値Dbp1,Ciq1,Dbp2,Ciq2を用いて表記している。つまり、コンデンサーCiq1のとき、低下率L1=Dbp1/Dbp1になり、コンデンサーCiq2のとき、低下率L2=Dbp2/Dbpになったことを示している。
【００９０】
この図から、任意容量値Cxのコンデンサーのときの低下率Lxは、次式より算出できることが分かる。
【数１】
2014091007.tif 000003
【００９１】
データ処理部2は、上式により検出電圧Vbpの低下率Lxを算出する(処理１０６)。
【００９２】
次に、今回の測定値Dbpと低下率Lxとにより目的のＢＰ値を、ＢＰ値=Dbp/Lxとして算出する。これにより、BP測定回路161の検知特性により低下した測定値Dbpが100%に補正される(処理１０７)。
【００９３】
データ処理部2は、以上のように読み取った1井穴に対するＢＰ値・ＡＰ値・ＩＱ値を記憶する。
【００９４】
このようにして1つの井穴の測定が終わる。オペレータは、次に測定する井穴があれば(図7、処理76のY)、測定操作を繰り返す(処理73へ)。
【００９５】
通常、手足28個の井穴を測定するが、全て終了すると(処理76のN)、データ処理部2は、ＢＰ値・ＡＰ値・ＩＱ値を既知技術により表示印刷処理する。
【００９６】
以上のように本実施例では、人体の実測前に、基準ＣＲ回路14を測定して基準となる測定値を記憶しておき、実測時には、測定値をその基準値で換算するので、波形測定回路16や制御回路17内のＡ／Ｄ変換回路などが、温度等の環境条件で特性変化しても、一定の測定精度が得られるようになる。
【００９７】
また、ＢＰ測定部161の検知電圧Vbpは、通電回路上のコンデンサー成分が小さくなるほど低下するという検知特性があるが、コンデンサー成分に等しいＩＱ値で補正することにより、ＢＰ値もさらに正確になる。
【００９８】
これにより、主要な測定回路は、波形測定回路16のように、安価な小数のアナログ回路部品で構成することができ、従来のように複雑なデジタル回路が不要になって、装置全体が低コストになる。
【００９９】
なお、以上の実施例では、オペアンプのオフセット補正については説明しなかった。実施例の経絡測定装置において、オペアンプのオフセットの影響を受けやすいのは、波形測定回路16内の増幅度の高いオペアンプQ7である。オフセットの補正処理を行う場合、入力が０Ｖでも、オペアンプQ7の出力が環境を問わずいつでも＋電圧を出力するように可変抵抗R10で調整しておく。そして、図７処理72の中で、そのときのオフセット電圧を測定し記憶しておく。そして、処理74では、電圧Ｖapから記憶していたオフセット電圧を差し引くようにすればよい。これは既知技術である。
【０１００】
また、基準ＣＲ回路14は、抵抗Rbp,RapとコンデンサーCiq1,Ciq2の4つの部品で4回路を構成したが、抵抗は1つでＡＰ用とＢＰ用とに兼用することもできる。さらに、コンデンサーの個数を多くして、より広いコンデンサー容量範囲についてＢＰ電圧の低下率を測定すればなおよい。
【産業上の利用可能性】
【０１０１】
本発明の名称は、経絡測定装置であるが、井穴や他の経穴の測定のほか、人体の細胞間質の特性測定にも適用できるものである。
【符号の説明】
【０１０２】
１：測定部
１１：不関電極
１２：関電極
１３：信号線
１４：基準ＣＲ回路
１５：切換回路
１６：波形測定回路
１６１：ＢＰ測定部
１６２：ＡＰ測定部
１６３：ＩＱ測定部
１７：制御回路
１８：起動スイッチ
１９：測定スイッチ
２：データ処理部
３：人体
【図１】
2014091007.tif 000004
【図２】
2014091007.tif 000005
【図３】
2014091007.tif 000006
【図４】
2014091007.tif 000007
【図５】
2014091007.tif 000008
【図６】
2014091007.tif 000009
【図７】
2014091007.tif 000010
【図８】
2014091007.tif 000011
【図９】
2014091007.tif 000012
【図１０】
2014091007.tif 000013
【図１１】
2014091007.tif 000014
【図１２】
2014091007.tif 000015